(57)【特許請求の範囲】
【請求項１】
第１塗装膜で覆われた第１金属板を有する第１部材と、
前記第１部材に重なり合う領域を有すると共に、第２塗装膜で覆われた第２金属板を有する第２部材と、
前記第２部材の前記領域において前記第１部材と前記第２部材とを重ね合わせた状態で固定する固定部材と、
前記第２部材の前記領域以外の部分において前記第２部材に固定される接地確認用部材と、を備え、
前記固定部材は、前記第１部材と前記第２部材とを固定する際に、前記第１塗装膜を削って前記第１金属板に接触すると共に、
前記接地確認用部材は、前記第２部材に固定される際に、前記第２塗装膜を削って前記第２金属板に接触する
ことを特徴とする空気調和機。
【請求項２】
前記固定部材は、前記第１部材と前記第２部材とを固定する際に、前記第２塗装膜を削って前記第２金属板に接触する
ことを特徴とする請求項１記載の空気調和機。
【請求項３】
前記固定部材及び前記接地確認用部材は、ねじ部材であって、
前記固定部材は、前記第２部材側から、前記第２部材に形成された第２孔部を通過して前記第１部材に形成された第１孔部に螺合されることで、前記第１部材と前記第２部材とを重ね合わせた状態で固定すると共に、
前記接地確認用部材は、前記第２部材に形成された第３孔部に螺合されることで、前記第２部材に固定される
ことを特徴とする請求項１または２記載の空気調和機。
【請求項４】
前記第２孔部は、前記第１孔部より大きく構成されている
ことを特徴とする請求項３記載の空気調和機。
【請求項５】
前記第１部材は、切り欠きを有しており、
前記接地確認用部材は、前記切り欠きに対応した位置において前記第２部材に固定される
ことを特徴とする請求項１乃至４のいずれか１項記載の空気調和機。
【請求項６】
前記第１部材は、折れ曲がり部を有しており、
前記切り欠きは、前記折れ曲がり部に形成されている
ことを特徴とする請求項５記載の空気調和機。
【請求項７】
筺体を有する室外機であって、
前記第１部材は、前記筺体の側面に配置される側板であり、
前記第２部材は、前記筺体の上面であり且つ前記側板の上方に配置される天板である
ことを特徴とする請求項１乃至６のいずれか１項記載の空気調和機。
【請求項８】
前記筺体の一側面には、接地された接地部材が設けられており、
前記接地確認用部材は、前記筺体において前記接地部材が設けられた一側面において前記第２部材に固定される
ことを特徴とする請求項７記載の空気調和機。
【発明の詳細な説明】
【技術分野】
【０００１】
本発明は、塗装膜で覆われた金属板を有する空気調和機に関するものである。
【背景技術】
【０００２】
空気調和機は、室内に取り付けられる室内機と、室外に設置される室外機とを備えており、室外機は、圧縮機などを収容する筺体を有しているのが一般的である。この筺体は、塗装膜でそれぞれ覆われた天板、側板及び底板から構成され、これらの部材は接地した状態とすることが多い。また、室外機には、天板を側板に対して固定ねじによって固定されるものがある。この室外機では、側板を接地した状態で、固定ねじを介して天板を側板に電気的に接続することによって、天板を接地した状態とする。
【０００３】
このように、天板を側板に電気的に接続する固定ねじとしては、天板を側板に重ねた状態で、天板側から側板のねじ孔に螺合することで側板の塗装膜を削って側板の金属板に接触すると共に、そのときに、ねじ頭部の下面に形成された突部が天板の塗装膜を削って天板の金属板に接触するものがある。
【先行技術文献】
【特許文献】
【０００４】
【特許文献１】実開昭６１−７９４６５号公報
【発明の概要】
【発明が解決しようとする課題】
【０００５】
この室外機において、天板や側板が接地されているか否かを確認する場合に、天板と側板とを固定する固定ねじが接地された状態となっているかによって判断されることがある。ここで、固定ねじは、側板のねじ孔に螺合することで側板の塗装膜を削って側板の金属板に接触しているが、天板と側板とを固定した後において、固定ねじの頭部に形成された突部が天板の金属板に接触しない状態であることが考えられる。そして、側板が接地されていれば、固定ねじが接地された状態となることから、固定ねじが接地された状態であっても、天板が必ずしも接地された状態となっているとは限らない。したがって、固定ねじが接地された状態であるか否かだけで、天板や側板が接地されていることを十分に確認することができないという問題がある。したがって、天板の絶縁を確保するために、室外機内の電装品に接続された配線が天板に接触しないように、天板の内周面に絶縁部材を配置したり配線を固定する等の対策が必要となる。
【０００６】
そこで、この発明は、上記のような課題を解決するためになされたものであり、塗装膜に覆われた金属板の接地状態を確実に確認することができる空気調和機を提供することを目的とする。
【課題を解決するための手段】
【０００７】
第１の発明に係る空気調和機は、第１塗装膜で覆われた第１金属板を有する第１部材と、前記第１部材に重なり合う領域を有すると共に、第２塗装膜で覆われた第２金属板を有する第２部材と、前記第２部材の前記領域において前記第１部材と前記第２部材とを重ね合わせた状態で固定する固定部材と、前記第２部材の前記領域以外の部分において前記第２部材に固定される接地確認用部材と、を備え、前記固定部材は、前記第１部材と前記第２部材とを固定する際に、前記第１塗装膜を削って前記第１金属板に接触すると共に、前記接地確認用部材は、前記第２部材に固定される際に、前記第２塗装膜を削って前記第２金属板に接触することを特徴とする。
【０００８】
この空気調和機では、第１部材と第２部材とを固定する固定部材とは別に設けた接地確認用部材が、第２塗装膜を削って第２部材に接触するので、接地確認用部材を用いて第２部材の接地状態を判断することにより、第２部材の接地状態を確実に確認することができる。また、第２部材の絶縁を確保するために、電装品に接続された配線が第２部材に接触しないように、第２部材の内周面に絶縁部材を配置したり配線を固定する等の対策が不要になる。
【０００９】
第２の発明に係る空気調和機は、第１の発明に係る空気調和機において、前記固定部材は、前記第１部材と前記第２部材とを固定する際に、前記第２塗装膜を削って前記第２金属板に接触することを特徴とする。
【００１０】
この空気調和機では、第１部材と第２部材とを固定部材を介して電気的に接続することができる。
【００１１】
第３の発明に係る空気調和機は、第１または第２の発明に係る空気調和機において、前記固定部材及び前記接地確認用部材は、ねじ部材であって、前記固定部材は、前記第２部材側から、前記第２部材に形成された第２孔部を通過して前記第１部材に形成された第１孔部に螺合されることで、前記第１部材と前記第２部材とを重ね合わせた状態で固定すると共に、前記接地確認用部材は、前記第２部材に形成された第３孔部に螺合されることで、前記第２部材に固定されることを特徴とする。
【００１２】
この空気調和機では、固定部材及び接地確認用部材としてねじ部材を用いることによって簡単な構成で第１部材及び第２部材の接地状態を確実に確認することができる。
【００１３】
第４の発明に係る空気調和機は、第３の発明に係る空気調和機において、前記第２孔部は、前記第１孔部より大きく構成されていることを特徴とする。
【００１４】
この空気調和機では、固定部材が第１孔部に螺合されることで、固定部材が第１部材に確実に接触するので、固定部材を用いて第１部材の接地状態を確実に確認することができる。
【００１５】
第５の発明に係る空気調和機は、第１乃至第４のいずれかの発明に係る空気調和機であって、前記第１部材は、切り欠きを有しており、前記接地確認用部材は、前記切り欠きに対応した位置において前記第２部材に固定されることを特徴とする。
【００１６】
この空気調和機では、第１部材に切り欠きを設けるだけで、接地確認用部材を取り付ける範囲を確保することができる。
【００１７】
第６の発明に係る空気調和機は、第５の発明に係る空気調和機であって、前記第１部材は、折れ曲がり部を有しており、前記切り欠きは、前記折れ曲がり部に形成されていることを特徴とする。
【００１８】
この空気調和機では、第１部材の折れ曲がり部を形成する際に設けられる切り欠きを利用して、接地確認用部材を取り付けることができる。
【００１９】
第７の発明に係る空気調和機は、第１乃至第６のいずれかの発明に係る空気調和機であって、筺体を有する室外機であって、前記第１部材は、前記筺体の側面に配置される側板であり、前記第２部材は、前記筺体の上面であり且つ前記側板の上方に配置される天板であることを特徴とする。
【００２０】
この空気調和機では、室外機の天板の接地状態を確実に確認することができる。
【００２１】
第８の発明に係る空気調和機は、第７の発明に係る空気調和機であって、前記筺体の一側面には、接地された接地部材が設けられており、前記接地確認用部材は、前記筺体において前記接地部材が設けられた一側面において前記第２部材に固定されることを特徴とする。
【００２２】
この空気調和機では、接地確認用部材が接地された接地部の近傍に取り付けられるので、第２部材の接地状態を確認する作業を容易に行える。
【発明の効果】
【００２３】
以上の説明に述べたように、本発明によれば、以下の効果が得られる。
【００２４】
第１の発明では、第１部材と第２部材とを固定する固定部材とは別に設けた接地確認用部材が、第２塗装膜を削って第２部材に接触するので、接地確認用部材を用いて第２部材の接地状態を判断することにより、第２部材の接地状態を確実に確認することができる。また、第２部材の絶縁を確保するために、電装品に接続された配線が第２部材に接触しないように、第２部材の内周面に絶縁部材を配置したり配線を固定する等の対策が不要になる。
【００２５】
第２の発明では、第１部材と第２部材とを固定部材を介して電気的に接続することができる。
【００２６】
第３の発明では、固定部材及び接地確認用部材としてねじ部材を用いることによって簡単な構成で第１部材及び第２部材の接地状態を確実に確認することができる。
【００２７】
第４の発明では、固定部材が第１孔部に螺合されることで、固定部材が第１部材に確実に接触するので、固定部材を用いて第１部材の接地状態を確実に確認することができる。
【００２８】
第５の発明では、第１部材に切り欠きを設けるだけで、接地確認用部材を取り付ける範囲を確保することができる。
【００２９】
第６の発明では、第１部材の折れ曲がり部を形成する際に設けられる切り欠きを利用して、接地確認用部材を取り付けることができる。
【００３０】
第７の発明では、室外機の天板の接地状態を確実に確認することができる。
【００３１】
第８の発明では、接地確認用部材が接地された接地部の近傍に取り付けられるので、第２部材の接地状態を確認する作業を容易に行える。
【図面の簡単な説明】
【００３２】
【図１】本実施形態に係る室外機を備えた空気調和システムの全体を示す図である。
【図２】図１の室外機の外観斜視図である。
【図３】図１の室外機の分解斜視図である。
【図４】図２のＡ−Ａ線矢視断面の模式図である。
【発明を実施するための形態】
【００３３】
以下、図面に基づいて、本発明に係る空気調和機の実施形態について説明する。
【００３４】
（実施形態）
［空気調和システム１の構成］
図１は、本実施形態に係る室外機を備えた空気調和システムの全体を示す図である。空気調和システム１は、室内の壁面などに取付けられる室内機２と、室外に設置される室外機３とを備えている。室内機２と室外機３とは、冷媒配管４によって連結されている。
【００３５】
［室外機３の構成］
図２は、室外機３の背面側から視た外観斜視図であり、図３は、室外機３の分解斜視図である。図４は、図２のＡ−Ａ線矢視断面の模式図である。
【００３６】
室外機３は、冷媒回路を構成する圧縮機、室外熱交換器および室外ファン等（いずれも図示せず）を収容した筺体５を有している。筺体５は、図３に示すように、筺体５の側面を構成する側板６と、筺体５の上面を構成する天板７と、底面を構成する底板８とによって構成される。
【００３７】
［側板６の構成］
側板６は、金属板６０と、金属板６０の表面を覆うように配置された腐食等を防止するための絶縁性の塗装膜１５とを有している（図４参照）。側板６は、図３に示すように、筺体５の側面の全周を囲むように配置された４つの側面６１ａ〜６１ｄを有している。
【００３８】
側板６は、１枚の板状部材であって、これを４カ所で折り曲げることによって、４つの側面６１ａ〜６１ｄが形成される。したがって、側板６において、右側面６１ａと背側面６１ｄとの間、背側面６１ｄと左側面６１ｂとの間、左側面６１ｂと前側面６１ｃとの間、及び、前側面６１ｃと右側面６１ａとの間には、それぞれ、折れ曲り部６２ａ〜６２ｄが形成される。
【００３９】
また、右側面６１ａ、左側面６１ｂ、前側面６１ｃ及び背側面６１ｄの上端には、それぞれ、立設部６３ａ〜６３ｄが設けられている。立設部６３ａ〜６３ｄは、天板７が取り付けられる部分である。そして、立設部６３ａ〜６３ｄのそれぞれの間には、側板を折り曲げて形成するときに、隣り合う立設部が干渉するのを防止するために、切り欠き６５ａ〜６５ｄが設けられている。
【００４０】
また、右側面６１ａの立設部６３ａ及び左側面６１ｂの立設部６３ｂのそれぞれの略中央部には、天板７を側板６に固定するために用いられる第１締結孔６４ａ、６４ｂが設けられている。
【００４１】
室外機３の右側面６１ａには、電気配線を取り付ける端子台と、冷媒配管４を接続するための配管接続部とが設けられている。また、右側面６１ａには、アース線１１を介して接地されたアース端子１０が設けられている。そして、室外機３の右側面６１ａには、端子台、配管接続部及びアース端子１０を覆うように配置されたカバー９が取り付けられている。
アース端子１０は、側板６に電気的に接続されており、側板６は、アース端子１０を介して接地される。また、底板８は、突起付きの固定ねじ（図示せず）によって側板６と締結されており、この固定ねじによって側板６と電気的に接続され、側板６および固定ねじを介して接地される。
【００４２】
［天板７の構成］
天板７は、側板６と同様に、金属板７０と、金属板７０の表面を覆うように配置された腐食等を防止するための絶縁性の塗装膜１６とを有している（図４参照）。天板７は、筺体５内に雨水等が浸入するのを防止するためのものであり、その縁部の全周にわたって下方に向かって突出した側壁７１を有している。
【００４３】
天板７の側壁７１は、側板６に固定される位置に配置されたときに、右側面６１ａの立設部６３ａと重なる部分を有する右側壁７１ａと、左側面６１ｂの立設部６３ｂと重なる部分を有する左側壁７１ｂと、前側面６１ｃの立設部６３ｃと重なる部分を有する前側壁７１ｃと、背側面６１ｄの立設部６３ｄと重なる部分を有する背側壁７１ｄとで構成される。また、右側壁７１ａおよび左側壁７１ｂには、それぞれの略中央部に配置された第２締結孔７２ａ、７２ｂが設けられている。第２締結孔７２ａ、７２ｂは、天板７が側板６に固定される位置に配置されたときに、それぞれ、右側面６１ａの立設部６３ａ及び左側面６１ｂの立設部６３ｂに形成された第１締結孔６４ａ、６４ｂと同一の位置に配置される。なお、第２締結孔７２ａ、７２ｂの径は、第１締結孔６４ａ、６４ｂの径よりも大きい。
【００４４】
固定ねじ１２、１３は、天板７を側板６の上部に取り付けた状態で、第１締結孔６４ａ、６４ｂおよび第２締結孔７２ａ、７２ｂを介して、天板７を側板６に対して電気的に接続した状態で固定するものである。固定ねじ１２は、天板７に形成された第２締結孔７２ａの径よりも大きい外径の頭部１２１と、側板６に形成された第１締結孔６４ａに螺合されるねじ山部１２２と、頭部１２１の底面から下方に突出する突部１２３とを有している。固定ねじ１３の構成は、固定ねじ１２の構成と同様である。
【００４５】
また、天板７の右側壁７１ａには、右側面６１ａの立設部６３ａと重なり合わない部分（図３の破線部分７３以外の部分）に配置された取付孔７４が設けられている。具体的には、天板７の取付孔７４は、右側面６１ａの立設部６３ａと背側面６１ｄの立設部６３ｄとの間に配置された切り欠き６５ａに対応した位置に設けられている。また、天板７の取付孔７４は、室外機３において、アース端子１０が設けられた右側面６１ａと同じ側面に設けられている。
【００４６】
接地確認用ねじ１４は、天板７の取付孔７４に取り付けられるものである。接地確認用ねじ１４は、天板７の取付孔７４の径よりも大きい外径の頭部１４１と、天板７の取付孔７４に螺合されるねじ山部１４２とを有している。
【００４７】
［側板６および天板７の取付構造］
次に、側板６および天板７の取付構造について、図４を参照して説明する。図４は、図２のＡ−Ａ線矢視断面の模式図である。
【００４８】
天板７が側板６の上端において固定される位置に配置されると、天板７の右側壁７１ａと右側面６１ａの立設部６３ａとが重なり合う状態になる。この状態において、固定ねじ１２が、天板７の右側壁７１ａの外側から、天板７の第２締結孔７３ａを通過し、ねじ山部１２２が側板６の第１締結孔６４ａに螺合される。このとき、天板７は、固定ねじ１２の突部１２３によって側板６に向かって押圧されることにより、側板６に固定される。そして、ねじ山部１２２は、側板６の第１締結孔６４ａに螺合される際に、側板６の第１締結孔６４ａの内周面を覆う側板６の塗装膜１５を削って、図４の一点鎖線で囲んだ部分に示すように、側板６の金属板６０に接触する。一方、図４においては、固定ねじ１２の突部１２３は、天板７の塗装膜１６を削っているが、天板７の金属板７０まで到達していない状態が図示されている。したがって、図４では、固定ねじ１２は、天板７の金属板７０に接触していないので、天板７は、側板６に対して電気的に接続されていないことから接地されていない状態である。
【００４９】
また、接地確認用ねじ１４が、天板７の右側壁７１ａの外側から、ねじ山部１４２が天板７の取付孔７４に螺合される。そして、ねじ山部１４２は、天板７の取付孔７４に螺合される際に、天板７の取付孔７４の内周面を覆う天板７の塗装膜１６を削って、図４の一点鎖線で囲んだ部分に示すように、天板７の金属板７０に接触する。
【００５０】
（実施形態に係る空気調和機の特徴）
本実施形態に係る室外機３には、以下のような特徴がある。
【００５１】
本実施形態の室外機３では、固定ねじ１２によって、天板７を側板６に固定した場合に、固定ねじ１２の突部１２３が天板７の金属板７０まで到達しないで、天板７が、固定ねじ１２を介して接地された側板６に対して電気的に接続されない場合であっても、接地確認用ねじ１４を用いて天板７の接地状態を確実に確認することができる。したがって、天板７の絶縁を確保するために、室外機３内の電装品に接続された配線が天板７に接触しないように、天板７の内周面に絶縁部材を配置したり配線を固定する等の対策が不要となる。
【００５２】
また、本実施形態の室外機３では、接地確認用ねじ１４が、アース端子１０が設けられた側面６１ａと同じ側面に取り付けられるので、接地確認用ねじ１４とアース端子１０との電位差を検出することによって、天板７の接地状態を確認する作業が容易に行える。
【００５３】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
また、上記実施形態では、天板７を側板６に固定する部材として、側板６の第１締結孔６４ａに螺合される固定ねじ１２を用いたが、これに限定されず、天板７を側板６に固定するときに、側板６の塗装膜１５を削って、側板６の金属板６０に接触するものであればよい。
【００５５】
また、上記実施形態では、接地確認用ねじ１４が、室外機３においてアース端子１０が設けられた側面６１ａと同じ側面に取り付けられたが、これに限定されず、室外機３においてアース端子１０が設けられていない側面に取り付けられていてもよい。
【００５６】
また、上記実施形態では、接地確認用ねじ１４を、室外機３の右側面において切り欠き６５ａに対応する位置に設けたが、これに限定されず、他の切り欠きに対応する位置に設けてもよい。
【００５７】
また、上記実施形態では、接地確認用ねじ１４は、隣り合う立設部が干渉するのを防止するために設けられた切り欠き６５ａ〜６５ｄに対応した位置において天板７に固定したが、これに限定されず、例えば、接地確認用ねじを配置するための切り欠きを立設部６３ａ〜６３ｄに設け、その切り欠きに対応した位置において天板に固定してもよい。
【００５８】
また、上記実施形態では、固定ねじ１２は、頭部１２１の底面から下方に突出する突部１２３とを有しているが、これに限定されず、突部を有していないものでもよい。また、接地確認用ねじ１４は、頭部１４１の底面から下方に突出する突部を有していないが、これに限定されず、固定ねじ１２と同様に、頭部１４１の底面から下方に突出する突部を有していてもよい。
【００５９】
上記実施形態では、空気調和機として室外機を例に説明したが、これに限定されず、例えば、室内機であってもよい。
【産業上の利用可能性】
【００６０】
本発明を利用すれば、塗装膜に覆われた金属板の接地状態を確実に確認することができる空気調和機を提供することが可能となる。
【符号の説明】
【００６１】
３  室外機（空気調和機）
６  側板（第１部材）
７  天板（第２部材）
１０  アース端子（接地部材）
１２  固定ねじ（固定部材）
１４  接地確認用ねじ（接地確認用部材）
１５  塗装膜（第１塗装膜）
１６  塗装膜（第２塗装膜）
６０  金属板（第１金属板）
６２ａ〜６２ｄ  折れ曲がり部
６４ａ  第１締結孔（第１孔部）
６５ａ〜６５ｄ  切り欠き
７０  金属板（第２金属板）
７２ａ  第２締結孔（第２孔部）
７４  取付孔（第３孔部）
【図１】
0005397259.tif 000002
【図２】
0005397259.tif 000003
【図３】
0005397259.tif 000004
【図４】
0005397259.tif 000005